(57)【要約】【課題】添付された手荷物等から不用意に離脱しにくくしながらも、手荷物等に添付しやすく、かつ取り扱いにくくなることを回避する。【解決手段】一方の面に粘着層３０が積層されてなる帯状の表面シート１０と、粘着層３０によって表面シート１０に貼着された帯状の裏面シート２０とを有し、裏面シート２０は、長手方向の一方の端部に、長手方向に伸びる直線領域が表面シート１０に貼着されたまま当該直線領域を基軸として見開かれるようにして表面シート１０から剥離可能となった捲り上げ部２３を有する。【選択図】図１
2015219408.tif 000002
【特許請求の範囲】
【請求項１】
一方の面に粘着層が積層されてなる帯状の第１のシートと、
前記粘着層によって前記第１のシートに貼着された帯状の第２のシートとを有し、
前記第２のシートは、長手方向の少なくとも一方の端部に、前記長手方向に伸びる直線領域が前記第１のシートに貼着されたまま当該直線領域を基軸として見開かれるようにして前記第１のシートから剥離可能となった捲り上げ部を有するタグ用ラベル。
【請求項２】
請求項１に記載のタグ用ラベルにおいて、
前記第２のシートは、前記捲り上げ部の前記第１のシートとの貼着面とは反対側の面に通知情報が表示されているタグ用ラベル。
【請求項３】
請求項１または請求項２に記載のタグ用ラベルが複数連続してなるロール状ラベルであって、
前記タグ用ラベルが、前記長手方向に連続状となってロール状に巻き取られたロール状ラベル。
【発明の詳細な説明】
【技術分野】
【０００１】
本発明は、手荷物の取っ手部分等に巻き掛けて使用されるタグ用ラベルに関する。
【背景技術】
【０００２】
従来より、荷物や商品等に添付されるタグは、様々な用途に用いられている。このようなタグとしては例えば、航空手荷物に添付されるものがある。航空手荷物に添付されるタグは一般的に、帯状形状からなり、手荷物の取っ手部分に巻き掛けて長手方向の両端部を互いに貼着することによって手荷物に貼付される。そのため、粘着層を被覆しておくための剥離紙が貼着されており、手荷物に添付される際、剥離紙が剥離されて表出した粘着層を用いて長手方向の両端部が互いに貼着されることになる。
【０００３】
ところで、上述したように長手方向の両端部を互いに貼着することによって手荷物に添付されるタグにおいては、使用時に剥離紙によるごみを発生させないようにする技術が考えられている（例えば、特許文献１，２参照）。
【０００４】
図７は、使用時にごみを発生させない構成を有する手荷物用タグの一例を示す図であり、（ａ）は表面図、（ｂ）は（ａ）に示したＡ−Ａ’断面図、（ｃ）は裏面図、（ｄ）は裏面シート５２０の表面シート５１０との貼着面の構成を示す図である。
【０００５】
本例における手荷物用タグは図７に示すように、帯状の表面シート５１０と、剥離紙となる帯状の裏面シート５２０とがその全面にて剥離可能に貼着されて構成されている。表面シート５１０の裏面シート５２０との貼着面には、その全面に粘着層５３０が積層され、また、裏面シート５２０の表面シート５１０との貼着面には、その全面に剥離層５４０が積層されている。これにより、表面シート５１０と裏面シート５２０とがその全面にて剥離可能に貼着されている。
【０００６】
また、裏面シート５２０は、長手方向の一方の端部に捲り上げ部５２３を有しており、長手方向に直交する方向に伸びた折り部５２１を基軸として捲り上げられる構成となっている。
【０００７】
図８は、図７に示した手荷物用タグ５０１の使用方法を説明するための図である。
【０００８】
図７に示した手荷物用タグ５０１を使用する場合はまず、図８（ａ）に示すように、裏面シート５２０の捲り上げ部５２３を表面シート５１０から剥離して捲り上げる。表面シート５１０と裏面シート５２０とは粘着層５４０によって貼着されているものの、裏面シート５２０の表面シート５１０との貼着面には剥離層５４０が積層されているため、捲り上げ部５２３を表面シート５１０から剥離することができる。
【０００９】
捲り上げ部５２３が折り部５２１を基軸として完全に捲り上げられると、図８（ｂ）に示すように、表面シート５１０の捲り上げ部５２３に対向していた領域にて粘着層５３０が表出する。
【００１０】
そして、図８（ｃ）に示すように、粘着層５３０が表出した面が内側となるように手荷物の取っ手５０２に巻き掛け、捲り上げ部５２３が捲り上げられて裏面シート５２０の長手方向に折り返された状態で粘着層５３０によって手荷物用タグ５０１の長手方向の両端部を互いに貼着する。
【００１１】
このような構成とすることにより、手荷物に添付する際に剥離紙によるごみを発生させなくすることができる。
【先行技術文献】
【特許文献】
【００１２】
【特許文献１】特開２０１２−６３４４６号公報
【特許文献２】特許第５３８２７６９号公報
【発明の概要】
【発明が解決しようとする課題】
【００１３】
上述したように手荷物に巻き掛けられて長手方向の両端部が互いに貼着されることによって手荷物に添付される帯状のタグ用ラベルにおいては、特に航空手荷物に添付される場合等において手荷物から不用意に脱離しにくくするためには、互いに貼着される面積をできるだけ広くすることが好ましい。そのため、帯状であることによりその幅が制限されている形状で貼着面積を広くするためには、タグ用ラベルの長手方向における貼着領域の長さを長くする必要がある。
【００１４】
ところが、図７に示したような形状を有するタグ用ラベルにおいては、裏面シート５２０の長手方向の一方の端部に設けられた捲り上げ部５２３がタグ用ラベルの長手方向に折り返された状態でその両端部が互いに貼着されることになるため、タグ用ラベルの長手方向における貼着領域の長さを長くした場合、捲り上げ部５２３の折り部５２１からそれとは反対側の辺までの長さが長くなり、それにより、折り返された部分があばれやすくなり、手荷物や人体等に引っ掛かり、取り扱いしにくくなったり、引っ掛かった部分から表面シートと裏面シートとが剥離してしまったりする虞れがある。
【００１５】
このような問題点は、図７に示したような形状を有するタグ用ラベルに限らず、捲り上げ部５２３を反対側に折り返して使用するものにおいても、同様に生じるものである。
【００１６】
また、タグ用ラベルの両端部を上述したように貼着する際、折り返された捲り上げ部が、タグ用ラベルによって形成される輪の内側に存在することになるため、タグ用ラベルの長手方向における貼着領域の長さが短いものであっても、折り返された捲り上げ部を押さえながらタグ用ラベルの両端部を互いに貼着しにくいという問題点もある。
【００１７】
本発明は、上述したような従来の技術が有する問題点に鑑みてなされたものであって、添付された手荷物等から不用意に離脱しにくくしながらも、手荷物等に添付しやすく、かつ取り扱いにくくなることを回避できるタグ用ラベル及びロール状ラベルを提供することを目的とする。
【課題を解決するための手段】
【００１８】
上記目的を達成するために本発明は、
一方の面に粘着層が積層されてなる帯状の第１のシートと、
前記粘着層によって前記第１のシートに貼着された帯状の第２のシートとを有し、
前記第２のシートは、長手方向の少なくとも一方の端部に、前記長手方向に伸びる直線領域が前記第１のシートに貼着されたまま当該直線領域を基軸として見開かれるようにして前記第１のシートから剥離可能となった捲り上げ部を有する。
【００１９】
上記のように構成された本発明においては、帯状の第２のシートの長手方向の少なくとも一方の端部に設けられた捲り上げ部が、第２のシートの長手方向に伸びる直線領域が第１のシートに貼着されたままその直線領域を基軸として見開かれるようにして第１のシートから剥離されることにより、第１のシートの第２のシートとの貼着面に積層された粘着層が表出し、手荷物の取っ手等に巻き掛けられてこの粘着層によってタグ用ラベルの長手方向の両端部が互いに貼着されることにより、手荷物等に添付されることになる。
【００２０】
このように、タグ用ラベルの長手方向の両端部を互いに貼着する粘着層を表出させるための捲り上げ部が、第２のシートの長手方向に伸びる直線領域が第１のシートに貼着されたままその直線領域を基軸として見開かれるようにして第１のシートから剥離されるので、手荷物等に添付するためにタグ用ラベルの長手方向の両端部が互いに貼着される場合、捲り上げ部が、タグ用ラベルの長手方向に直交する方向に見開かれるようにして折り返された状態となる。そのため、添付された手荷物等から不用意に脱離しにくくするためにタグ用ラベルの長手方向における貼着領域の長さを長くした場合であっても、捲り上げ部の折り返される基軸からその反対側の辺までの長さが長くなることがなく、それにより、折り返された部分があばれにくくなり、手荷物や人体等に引っ掛かって取り扱いしにくくなったり、引っ掛かった部分から表面シートと裏面シートとが剥離してしまったりする虞れがなくなる。
【００２１】
また、折り返された捲り上げ部は、タグ用ラベルが手荷物等に添付される際、タグ用ラベルによって形成される輪の内側には入り込まないため、捲り上げ部を押さえながらタグ用ラベルの両端部を互いに貼着しやすくなる。
【００２２】
また、第２のシートのうち捲り上げ部の第１のシートとの貼着面とは反対側の面に通知情報が表示されている場合、タグ用ラベルの両端部を互いに貼着した状態において通知情報が表出し、通知情報を認識させることができる。
【００２３】
また、上述したようなタグ用ラベルは、複数のタグ用ラベルが、タグ用ラベルの長手方向に連続状となってロール状に巻き取られたロール状ラベルとして保管、供給されることが考えられる。
【発明の効果】
【００２４】
本発明によれば、タグ用ラベルの長手方向の両端部を互いに貼着する粘着層を表出させるための捲り上げ部が、第２のシートの長手方向に伸びる直線領域が第１のシートに貼着されたままその直線領域を基軸として見開かれるようにして第１のシートから剥離されるため、添付された手荷物等から不用意に脱離しにくくするためにタグ用ラベルの長手方向における貼着領域の長さを長くした場合であっても、捲り上げ部の折り返される基軸からその反対側の辺までの長さが長くなることがなく、それにより、添付された手荷物等から不用意に離脱しにくくしながらも、手荷物等に添付しやすく、かつ取り扱いにくくなることを回避できる。
【００２５】
また、第２のシートのうち捲り上げ部の第１のシートとの貼着面とは反対側の面に通知情報が表示されているものにおいては、タグ用ラベルの両端部を互いに貼着した状態において通知情報が表出し、通知情報を認識させることができる。
【図面の簡単な説明】
【００２６】
【図１】本発明のタグ用ラベルの第１の実施の形態を示す図であり、（ａ）は表面図、（ｂ）は（ａ）に示した矢印Ｂ方向から見た側面図、（ｃ）は（ａ）に示した矢印Ｃ方向から見た側面図、（ｄ）は裏面図、（ｅ）は（ａ）に示したＡ−Ａ’断面図、（ｆ）は裏面シートの表面シートとの貼着面の構成を示す図である。
【図２】図１に示したタグ用ラベルの使用方法を説明するための図である。
【図３】本発明のタグ用ラベルの第２の実施の形態を示す図であり、（ａ）は表面図、（ｂ）は（ａ）に示したＡ−Ａ’断面図、（ｃ）は裏面図、（ｄ）は裏面シートの表面シートとの貼着面の構成を示す図である。
【図４】図３に示したタグ用ラベルの使用方法を説明するための図である。
【図５】本発明のタグ用ラベルの第３の実施の形態を示す図であり、（ａ）は表面図、（ｂ）は（ａ）に示したＡ−Ａ’断面図、（ｃ）は裏面図、（ｄ）は裏面シートの表面シートとの貼着面の構成を示す図である。
【図６】図５に示したタグ用ラベルの使用方法を説明するための図である。
【図７】使用時にごみを発生させない構成を有する手荷物用タグの一例を示す図であり、（ａ）は表面図、（ｂ）は（ａ）に示したＡ−Ａ’断面図、（ｃ）は裏面図、（ｄ）は裏面シートの表面シートとの貼着面の構成を示す図である。
【図８】図７に示した手荷物用タグの使用方法を説明するための図である。
【発明を実施するための形態】
【００２７】
以下に、本発明の実施の形態について図面を参照して説明する。
【００２８】
（第１の実施の形態）
図１は、本発明のタグ用ラベルの第１の実施の形態を示す図であり、（ａ）は表面図、（ｂ）は（ａ）に示した矢印Ｂ方向から見た側面図、（ｃ）は（ａ）に示した矢印Ｃ方向から見た側面図、（ｄ）は裏面図、（ｅ）は（ａ）に示したＡ−Ａ’断面図、（ｆ）は裏面シート２０の表面シート１０との貼着面の構成を示す図である。
【００２９】
本形態は図１に示すように、互いに同一形状を有する帯状の表面シート１０と裏面シート２０とが貼着されて構成されている。
【００３０】
表面シート１０は、本発明の第１のシートとなるものであって、例えば感熱紙からなり、裏面シート２０との貼着面の全面に粘着層３０が積層されている。また、表面シート１０は、その一部に表面シート１０のみを貫通するハーフスリット１１が形成されており、このハーフスリット１１によって３つのラベル部１２ａ〜１２ｃが分離可能に区画形成されている。
【００３１】
裏面シート２０は、本発明の第２のシートとなるものであって、例えば上質紙からなり、表面シート１０との貼着面に剥離層４０が積層されている。この剥離層４０は、シリコン等から構成され、裏面シート２０の長手方向における両側部から一定の幅を除いた全面に積層されている。また、裏面シート２０には、長手方向の一方の端部側に、裏面シート２０のみを貫通し、裏面シート２０の長手方向に直交する方向に伸びたハーフスリット２１が形成されている。このハーフスリット２１は、裏面シート２０の長手方向における一方の側部から他方の側部の近傍まで伸びている。ハーフスリット２１の端部には、裏面シート２０のみを貫通し、裏面シート２０の長手方向における一方の側部に沿って形成されたハーフスリット２２が交わっており、ハーフスリット２２は、裏面シート２０の長手方向における一方の端部まで伸びている。このハーフスリット２２は、剥離層４０が積層された領域のうち剥離層４０が積層されていない領域との境界近傍において裏面シート２０の長手方向における一方の側部に沿って形成されている。ハーフスリット２１，２２は、その交わった部分に丸みを帯びており、ハーフスリット２１，２２によって囲まれた領域が、捲り上げ部２３となって裏面シート２０の他の領域から分離可能に区画形成されている。なお、捲り上げ部２３のハーフスリット２２が伸びる方向の長さは、裏面シート２０の長手方向に直交する方向の幅よりも長くなっている。さらに、捲り上げ部２３には、表面シート１０との貼着面とは反対側の面に広告等の通知情報２４がプレ印刷によって表示されている。なお、裏面シート２０には、捲り上げ部２３以外の領域にも、所定の情報がプレ印刷によって表示されていてもよい。
【００３２】
このように構成された表面シート１０と裏面シート２０とは、表面シート１０及び裏面シート２０の長手方向における両側部から一定の幅の領域が、粘着層３０によって剥離困難に貼着され、また、それ以外の領域が、粘着層３０及び剥離層４０によって剥離可能に貼着されている。なお、剥離困難とは、表面シート１０と裏面シート２０とを人間の手によって剥離した場合に、表面シート１０や裏面シート２０自体が裂かれたり厚み方向に分割されたりする程度に強接着されていることである。
【００３３】
以下に、上記のように構成されたタグ用ラベル１の使用方法について説明する。
【００３４】
図２は、図１に示したタグ用ラベル１の使用方法を説明するための図である。
【００３５】
図１に示したタグ用ラベル１を使用する場合はまず、図２（ａ）に示すように、裏面シート２０の捲り上げ部２３を表面シート１０から剥離して捲り上げる。表面シート１０と裏面シート２０とは粘着層３０によって貼着されているものの、裏面シート２０の表面シート１０との貼着面のうち裏面シート２０の長手方向における両側部から一定の幅を除いた全面には剥離層４０が積層されており、剥離層４０が積層された領域のうち、剥離層４０が積層されていない領域との境界近傍にハーフスリット２２が形成されている。そのため、捲り上げ部２３を、ハーフスリット２２を剥離開始端辺として表面シート１０から剥離することができる。また、裏面シート２０に形成されたハーフスリット２１，２２によって捲り上げ部２３が裏面シート２０の他の領域から分離可能となっているため、捲り上げ部２３を裏面シート２０の他の領域から分離しながら捲り上げて表面シート１０から剥離していくことができる。また、ハーフスリット２１，２２の交わった部分が丸みを帯びているため、この部分を剥離開始端部とすることで、捲り上げ部２３を捲り上げやすくなる。
【００３６】
そして、捲り上げ部２３の表面シート１０からの剥離部分が、表面シート１０の側部近傍に達すると、裏面シート２０の表面シート１０との貼着面のうち裏面シート２０の長手方向における両側部から一定の幅には剥離層４０が積層されていないため、図２（ｂ）に示すように、捲り上げ部２３の表面シート１０からのそれ以上の剥離が困難となる。
【００３７】
このように、捲り上げ部２３は、ハーフスリット２２が形成された領域から、裏面シート２０の両側部のうちハーフスリット２２から離れた方の側部に沿う直線領域を基軸として見開かれるようにして表面シート１０から剥離していくことになる。すなわち、捲り上げ部２３は、裏面シート２０の長手方向の一方の端部に、この長手方向に伸びる直線領域が表面シート１０に貼着されたままその直線領域を基軸として見開かれるようにして表面シート１０から剥離可能なものとなっている。
【００３８】
捲り上げ部２３が、裏面シート２０の長手方向における両側部のうちハーフスリット２２から離れた方の側部に沿う直線領域を基軸として捲り上げられて表面シート１０から剥離されると、図２（ｂ）に示すように、表面シート１０の捲り上げ部２３に対向していた領域にて粘着層３０が表出する。
【００３９】
そして、図２（ｃ）に示すように、粘着層３０が表出した面が内側となるように手荷物の取っ手２に巻き掛け、捲り上げ部２３が捲り上げられて裏面シート２０の長手方向に直交する方向に折り返された状態で粘着層３０によってタグ用ラベル１の長手方向の両端部を互いに貼着する。この際、捲り上げ部２３に表示された通知情報２４が表出し、通知情報２４を認識させることができる。
【００４０】
このように、タグ用ラベル１の長手方向の両端部を互いに貼着する粘着層３０を表出させるための捲り上げ部２３が、裏面シート２０の長手方向に伸びる直線領域が表面シート１０に貼着されたままその直線領域を基軸として見開かれるようにして表面シート１０から剥離されるので、手荷物等に添付するためにタグ用ラベル１の長手方向の両端部が互いに貼着される場合、捲り上げ部２３が、タグ用ラベル１の長手方向に直交する方向に見開かれるようにして折り返された状態となる。そのため、添付された手荷物等から不用意に脱離しにくくするためにタグ用ラベル１の長手方向における貼着領域の長さを長くした場合であっても、捲り上げ部２３の折り返される基軸からその反対側の辺までの長さが長くなることがなく、それにより、折り返された部分があばれにくくなり、手荷物や人体等に引っ掛かって取り扱いしにくくなったり、引っ掛かった部分から表面シート１０と裏面シート２０とが剥離してしまったりする虞れがなくなる。
【００４１】
また、折り返された捲り上げ部２３は、タグ用ラベル１が手荷物等に添付される際、図２（ｃ）に示すように、タグ用ラベル１によって形成される輪の内側には入り込まないため、捲り上げ部２３を押さえながらタグ用ラベル１の両端部を互いに貼着しやすくなる。
【００４２】
上述したタグ用ラベル１は、裏面シート２０に通知情報２４も含めて情報がプレ印刷された状態で長手方向に複数のタグ用ラベル１が連続状となって裏面シート２０が内側となるようにロール状に巻き取られたロール状ラベルとして保管されており、ロール状ラベルの形態で供給され、使用時に、ロール状から引き出されて表面シート１０のラベル部１２ａ〜１２ｃを含めた領域に可変印字によって個別情報が印字されるとともに、単片状に断裁される。ラベル部１２ａ〜１２ｃは、このタグ用ラベル１を識別可能なバーコード等の識別情報が印字され、タグ用ラベル１が上記のようにして手荷物に添付される際に、表面シート１０から分離され、添付される手荷物の所有者の航空チケット等に粘着層３０によって貼付される。
【００４３】
また、本形態のタグ用ラベル１は、上述したように、剥離層４０が、裏面シート２０の長手方向における両側部から一定の幅を除いた全面に積層されており、それにより、表面シート１０と裏面シート２０とが、表面シート１０及び裏面シート２０の長手方向における両側部から一定の幅の領域が、粘着層３０によって剥離困難に貼着され、また、それ以外の領域が、粘着層３０及び剥離層４０によって剥離可能に貼着されているが、このような構成とすることにより、タグ用ラベル１を上述したようにまず連続状のものとして製造しておく場合に、その後単片状となったタグ用ラベル１がどのような長さであり、また、捲り上げ部２３の形状がどのようなものであっても、連続状の裏面シート２０をその連続方向に搬送しながら剥離層４０を部分的に積層することを容易に行うことができる。
【００４４】
（第２の実施の形態）
図３は、本発明のタグ用ラベルの第２の実施の形態を示す図であり、（ａ）は表面図、（ｂ）は（ａ）に示したＡ−Ａ’断面図、（ｃ）は裏面図、（ｄ）は裏面シート１２０の表面シート１１０との貼着面の構成を示す図である。
【００４５】
本形態は図３に示すように、図１に示したものに対して、裏面シート１２０の構成が異なるものである。
【００４６】
本形態における裏面シート１２０は、図１に示したものと同様に表面シート１１０との貼着面に剥離層１４０が積層されているが、図１に示したもののように裏面シート１２０の長手方向における両側部から一定の幅を除いた全面に剥離層１４０が積層されているのではなく、裏面シート１２０の長手方向における一方の側部から一定の幅を除いた全面に剥離層１４０が積層されている。また、本形態における裏面シート１２０には、図１に示したハーフスリット２２に相当するものは形成されておらず、捲り上げ部１２３を裏面シート１２０の他の領域から分離可能とするためのハーフスリット１２１のみが、裏面シート１２０の長手方向における一方の側部から他方の側部まで形成されている。
【００４７】
以下に、上記のように構成されたタグ用ラベル１０１の使用方法について説明する。
【００４８】
図４は、図３に示したタグ用ラベル１０１の使用方法を説明するための図である。
【００４９】
図３に示したタグ用ラベル１０１を使用する場合はまず、図４（ａ）に示すように、裏面シート１２０の捲り上げ部１２３を表面シート１１０から剥離して捲り上げる。表面シート１１０と裏面シート１２０とは粘着層１３０によって貼着されているものの、裏面シート１２０の表面シート１１０との貼着面のうち裏面シート１２０の長手方向における一方の側部から一定の幅を除いた全面には剥離層１４０が積層されている。そのため、裏面シート１２０の長手方向における両側部のうち剥離層１４０が積層された側部側を剥離開始端として捲り上げ部１２３を表面シート１１０から剥離することができる。また、裏面シート１２０に形成されたハーフスリット１２１によって捲り上げ部１２３が裏面シート１２０の他の領域から分離可能となっているため、捲り上げ部１２３を裏面シート１２０の他の領域から分離しながら捲り上げて表面シート１１０から剥離していくことができる。
【００５０】
そして、捲り上げ部１２３の表面シート１１０からの剥離部分が、表面シート１１０の反対側の側部近傍に達すると、その側部から一定の幅には剥離層１４０が積層されていないため、図４（ｂ）に示すように、捲り上げ部１２３の表面シート１１０からのそれ以上の剥離が困難となる。
【００５１】
このように、捲り上げ部１２３は、裏面シート１２０の長手方向における一方の側部側から、裏面シート１２０の長手方向における他方の側部に沿う直線領域を基軸として見開かれるようにして表面シート１１０から剥離していくことになる。すなわち、捲り上げ部１２３は、裏面シート１２０の長手方向の一方の端部に、この長手方向に伸びる直線領域が表面シート１１０に貼着されたままその直線領域を基軸として見開かれるようにして表面シート１１０から剥離可能なものとなっている。
【００５２】
捲り上げ部１２３が、裏面シート１２０の長手方向における両側部のうち剥離層１４０が積層されていない直線領域を基軸として捲り上げられて表面シート１１０から剥離されると、図４（ｂ）に示すように、表面シート１１０の捲り上げ部１２３に対向していた領域にて粘着層１３０が表出する。
【００５３】
そして、図４（ｃ）に示すように、粘着層１３０が表出した面が内側となるように手荷物の取っ手１０２に巻き掛け、捲り上げ部１２３が捲り上げられて裏面シート２０の長手方向に直交する方向に折り返された状態で粘着層１３０によってタグ用ラベル１０１の長手方向の両端部を互いに貼着する。この際、捲り上げ部１２３に表示された通知情報１２４が表出し、通知情報１２４を認識させることができる。
【００５４】
本形態のタグ用ラベル１０１においては、裏面シート１２０の長手方向における一方の側部のみが表面シート１１０に貼着されたまま捲り上げ部１２３が表面シート１１０から剥離されて折り返されるので、図４（ｃ）に示したように取っ手１０２に巻き掛けられた状態で表出する捲り上げ部１２３の面積を広くとることができ、それにより、多くの通知情報１２４を通知することができる。
【００５５】
また、本形態のタグ用ラベル１０１においても、上述したように、剥離層１４０が、裏面シート１２０の長手方向における一方の側部から一定の幅を除いた全面に積層されており、それにより、表面シート１１０と裏面シート１２０とが、表面シート１１０及び裏面シート１２０の長手方向における一方の側部から一定の幅の領域が、粘着層１３０によって剥離困難に貼着され、また、それ以外の領域が、粘着層１３０及び剥離層１４０によって剥離可能に貼着されていることにより、タグ用ラベル１０１をまず連続状のものとして製造しておく場合に、その後単片状となったタグ用ラベル１０１がどのような長さであり、また、捲り上げ部１２３の形状がどのようなものであっても、連続状の裏面シート１２０をその連続方向に搬送しながら剥離層１４０を部分的に積層することを容易に行うことができる。
【００５６】
（第３の実施の形態）
図５は、本発明のタグ用ラベルの第３の実施の形態を示す図であり、（ａ）は表面図、（ｂ）は（ａ）に示したＡ−Ａ’断面図、（ｃ）は裏面図、（ｄ）は裏面シート２２０の表面シート２１０との貼着面の構成を示す図である。
【００５７】
本形態は図５に示すように、図１に示したものに対して、裏面シート２２０の構成が異なるものである。
【００５８】
本形態における裏面シート２２０は、２つの捲り上げ部２２３ａ，２２３ｂを有する点で図１に示したものと異なっている。２つの捲り上げ部２２３ａ，２２３ｂは、図１に示したものと同様に捲り上げ部２２３ａ，２２３ｂを裏面シート２２０の他の領域から分離可能とするためのハーフスリット２２１と、ハーフスリット２２１に直交する方向に伸びたハーフスリット２２２とによって、裏面シート２２０の他の領域から分離可能に区画形成されている。ハーフスリット２２１，２２２は、図１に示したものと同様に、その交わった部分に丸みを帯びている。
ハーフスリット２２２は、その一端が裏面シート２２０の長手方向に直交する方向における中央部分にてハーフスリット２２１と交わり、そこから裏面シート２２０の長手方向に伸びて形成されている。それにより、２つの捲り上げ部２２３ａ，２２３ｂはハーフスリット２２２を介して対称な形状となっている。また、２つの捲り上げ部２２３ａ，２２３ｂには、表面シート２１０との貼着面とは反対側の面にそれぞれ通知情報２２４ａ，２２４ｂが表示されている。
【００５９】
以下に、上記のように構成されたタグ用ラベル２０１の使用方法について説明する。
【００６０】
図６は、図５に示したタグ用ラベル２０１の使用方法を説明するための図である。
【００６１】
図５に示したタグ用ラベル２０１を使用する場合はまず、図６（ａ）に示すように、裏面シート２２０の捲り上げ部２２３ａ，２２３ｂをそれぞれ表面シート２１０から剥離して捲り上げる。表面シート２１０と裏面シート２２０とは粘着層２３０によって貼着されているものの、裏面シート２２０の表面シート２１０との貼着面のうち裏面シート２２０の長手方向における両側部から一定の幅を除いた全面には剥離層２４０が積層されており、剥離層２４０が積層された領域において裏面シート２２０の長手方向に直交する方向における中央部分に裏面シート２２０の長手方向に伸びて２つの捲り上げ部２２３ａ，２２３ｂを分離するハーフスリット２２２が形成されている。そのため、捲り上げ部２２３ａ，２２３ｂを、ハーフスリット２２２を剥離開始端辺としてそれぞれ表面シート２１０から剥離することができる。また、裏面シート２２０に形成されたハーフスリット２２１によって捲り上げ部２２３ａ，２２３ｂが裏面シート２２０の他の領域から分離可能となっているため、捲り上げ部２２３ａ，２２３ｂを裏面シート２２０の他の領域から分離しながら捲り上げて表面シート２１０から剥離していくことができる。また、ハーフスリット２２１，２２２の交わった部分が丸みを帯びているため、図１に示したものと同様に、この部分を剥離開始端部とすることで、捲り上げ部２２３ａ，２２３ｂをそれぞれ捲り上げやすくなる。
【００６２】
そして、捲り上げ部２２３ａ，２２３ｂの表面シート２１０からの剥離部分が、それぞれ表面シート２１０の側部近傍に達すると、裏面シート２２０の表面シート２１０との貼着面のうち裏面シート２２０の長手方向における両側部から一定の幅には剥離層２４０が積層されていないため、図６（ｂ）に示すように、捲り上げ部２２３ａ，２２３ｂの表面シート２１０からのそれ以上の剥離が困難となる。
【００６３】
このように、２つの捲り上げ部２２３ａ，２２３ｂはそれぞれ、ハーフスリット２２２が形成された領域から、裏面シート２２０の両側部に沿う直線領域を基軸として見開かれるようにして表面シート２１０から剥離していくことになる。すなわち、捲り上げ部２２３ａ，２２３ｂはそれぞれ、裏面シート２２０の長手方向の一方の端部に、この長手方向に伸びる直線領域が表面シート２１０に貼着されたままその直線領域を基軸として見開かれるようにして表面シート２１０から剥離可能なものとなっている。
【００６４】
２つの捲り上げ部２２３ａ，２２３ｂのそれぞれが、裏面シート２２０の長手方向における両側部に沿う直線領域を基軸として捲り上げられて表面シート２１０から剥離されると、図６（ｂ）に示すように、表面シート２１０の捲り上げ部２２３ａ，２２３ｂに対向していた領域にて粘着層２３０が表出する。
【００６５】
そして、図６（ｃ）に示すように、粘着層２３０が表出した面が内側となるように手荷物の取っ手２０２に巻き掛け、捲り上げ部２２３ａ，２２３ｂが捲り上げられて裏面シート２２０の長手方向に直交する方向に折り返された状態で粘着層２３０によってタグ用ラベル２０１の長手方向の両端部を互いに貼着する。この際、捲り上げ部２２３ａ，２２３ｂに表示された通知情報２２４ａ，２２４ｂがそれぞれ表出し、通知情報２２４ａ，２２４ｂを認識させることができる。
【００６６】
本形態のタグ用ラベル２０１においては、裏面シート２２０の捲り上げ部２２３ａ，２２３ｂをそれぞれ、裏面シート２２０の長手方向に直交する方向に観音開きに見開いて折り返すことにより粘着層２３０を表出させ、タグ用ラベル２０１の長手方向の両端部を粘着層２３０によって互いに貼着するので、１つの捲り上げ部２２３ａ，２２３ｂについてタグ用ラベル２０１の長手方向に直交する方向における突出長さが短くなり、それにより、折り返された部分があばれやすくなることがさらに回避される。
【００６７】
なお、上述した３つの実施の形態においては、剥離層４０，１４０，２４０が裏面シート２０，１２０，２２０の長手方向の一方の端部から他方の端部に渡って積層されているが、捲り上げ部２３，１２３，２２３ａ，２２３ｂ以外の領域においては積層されていなくてもよい。ただし、剥離層４０，１４０，２４０が裏面シート２０，１２０，２２０の長手方向の一方の端部から他方の端部に渡って積層されている構成とすれば、上述したように、タグ用ラベル１，１０１，２０１をまず連続状のものとして製造しておく場合に、その後単片状となったタグ用ラベル１，１０１，２０１がどのような長さであり、また、捲り上げ部２３，１２３，２２３ａ，２２３ｂの形状がどのようなものであっても、連続状の裏面シート２０，１２０，２２０をその連続方向に搬送しながら剥離層４０，１４０，２４０を部分的に積層することを容易に行うことができる。
【００６８】
また、上述した３つの実施の形態においては、裏面シート２０，１２０，２２０の長手方向の一方の端部に捲り上げ部２３，１２３，２２３ａ，２２３ｂが設けられているが、裏面シート２０，１２０，２２０の長手方向の両端部にそれぞれ捲り上げ部を設けてもよい。その場合、捲り上げ部の見開き方向は、タグ用ラベルの長手方向中央部を中心として線対称の方向であっても点対称の方向であってもよい。捲り上げ部の見開き方向が線対称の方向であれば、捲り上げ部が折り返されてタグ用ラベルの両端部が貼着された状態では２つの捲り上げ部が重なることになり、手荷物や人体等に捲り上げ部が引っ掛かる可能性が増大することがない。また、捲り上げ部の見開き方向が点対称の方向であれば、捲り上げ部が折り返されてタグ用ラベルの両端部が貼着された状態では２つの捲り上げ部が重ならず、例えば、捲り上げ部の表裏に広告等の通知情報を表示しておけば、捲り上げ部の４倍の面積の領域にて通知情報を表示して多くの情報を通知することができるようになる。その場合、裏面シートの表面シートとの貼着面については、剥離層を積層する前に情報をプレ印刷しておくことが好ましい。
【符号の説明】
【００６９】
１，１０１，２０１    タグ用ラベル
２，１０２，２０２    取っ手
１０，１１０，２１０    表面シート
１１，２１，２２，１１１，１２１，２１１，２２１，２２２    ハーフスリット
１２ａ〜１２ｃ，１１２ａ〜１１２ｃ，２１２ａ〜２１２ｃ    ラベル部
２０，１２０，２２０    裏面シート
２３，１２３，２２３ａ，２２３ｂ    捲り上げ部
２４，１２４，２２４ａ，２２４ｂ    通知情報
３０，１３０，２３０    粘着層
４０，１４０，２４０    剥離層
【図１】
2015219408.tif 000003
【図２】
2015219408.tif 000004
【図３】
2015219408.tif 000005
【図４】
2015219408.tif 000006
【図５】
2015219408.tif 000007
【図６】
2015219408.tif 000008
【図７】
2015219408.tif 000009
【図８】
2015219408.tif 000010